(57)【特許請求の範囲】
【請求項１】
正常紙幣ではない集積物を集積するリジェクト部と、
対象物を搬送する搬送部と、
前記対象物を鑑別して鑑別結果を得る鑑別部と、
前記鑑別結果によって前記対象物が正常紙幣ではないことが示される場合、かつ、所定の条件が満たされる場合、前記対象物を前記リジェクト部とは異なる所定領域に搬送するように前記搬送部を制御する制御部と、
筐体の外部に露出して紙幣を集積する第１の外部集積部と、
前記筐体の外部に露出して紙幣を集積する第２の外部集積部と、を備え、
前記リジェクト部の奥側に前記第２の外部集積部が存在し、前記第２の外部集積部の奥側に前記第１の外部集積部が存在し、
前記制御部は、前記鑑別結果によって前記対象物が正常紙幣ではないことが示される場合、かつ、前記リジェクト部に集積されている集積物枚数が所定枚数に達している場合、前記第２の外部集積部に集積されている紙幣枚数が所定枚数に達していなければ前記対象物を前記第２の外部集積部に搬送させ、前記第２の外部集積部に集積されている紙幣枚数が所定枚数に達していれば、前記対象物を前記第１の外部集積部に搬送させる、
紙幣処理装置。
【請求項２】
前記制御部は、前記鑑別結果によって前記対象物が正常紙幣ではないことが示される場合、かつ、前記所定領域が紙幣の集積に使用されていない場合、前記対象物を前記所定領域に搬送させる、
請求項１に記載の紙幣処理装置。
【請求項３】
前記制御部は、前記対象物を前記所定領域に搬送させる場合、前記対象物が前記所定領域に搬送される旨を示す情報を表示部に表示させる、
請求項１に記載の紙幣処理装置。
【発明の詳細な説明】
【技術分野】
【０００１】
本発明は、紙幣処理装置に関する。
【背景技術】
【０００２】
従来、紙幣を取り扱う紙幣処理装置が知られている（例えば、特許文献１参照。）。かかる技術においては、操作者によって紙幣処理装置に挿入された対象物は、鑑別部に搬送されて鑑別部において対象物が鑑別される。そして、鑑別結果が正常紙幣であることを示す場合には、対象物が一時集積部に搬送され、一時集積部に複数枚の正常紙幣が集積されると、複数枚の正常紙幣が施封部において施封される。一方、鑑別結果が正常紙幣ではないことを示す場合には、対象物がリジェクト部に搬送される。
【先行技術文献】
【特許文献】
【０００３】
【特許文献１】特開２０１４−０４９０２６号公報
【発明の概要】
【発明が解決しようとする課題】
【０００４】
しかし、正常紙幣ではない対象物をリジェクト部にのみ搬送する場合、リジェクト部に集積された対象物が所定枚数に達してしまった状況においては、正常紙幣ではない対象物を追加的にリジェクト部に搬送することが困難となる。そのため、正常紙幣ではない対象物をリジェクト部にのみ搬送する場合、リジェクト部に搬送された対象物を操作者が抜き取る作業が頻発したり、紙幣処理装置の停止が頻発してしまったりする場合もあり得る。
【０００５】
また、このような操作者の作業が頻発したり、紙幣処理装置の停止が頻発してしまったりすると、操作性が低下し、紙幣処理の効率が低下する可能性がある。そこで、操作性および紙幣処理の効率を向上させる技術の提供が望まれる。
【課題を解決するための手段】
【０００６】
上記問題を解決するために、本発明のある観点によれば、正常紙幣ではない集積物を集積するリジェクト部と、対象物を搬送する搬送部と、前記対象物を鑑別して鑑別結果を得る鑑別部と、前記鑑別結果によって前記対象物が正常紙幣ではないことが示される場合、かつ、所定の条件が満たされる場合、前記対象物を前記リジェクト部とは異なる所定領域に搬送するように前記搬送部を制御する制御部と、筐体の外部に露出して紙幣を集積する第１の外部集積部と、前記筐体の外部に露出して紙幣を集積する第２の外部集積部と、を備え、前記リジェクト部の奥側に前記第２の外部集積部が存在し、前記第２の外部集積部の奥側に前記第１の外部集積部が存在し、前記制御部は、前記鑑別結果によって前記対象物が正常紙幣ではないことが示される場合、かつ、前記リジェクト部に集積されている集積物枚数が所定枚数に達している場合、前記第２の外部集積部に集積されている紙幣枚数が所定枚数に達していなければ前記対象物を前記第２の外部集積部に搬送させ、前記第２の外部集積部に集積されている紙幣枚数が所定枚数に達していれば、前記対象物を前記第１の外部集積部に搬送させる、紙幣処理装置が提供される。
【００２２】
前記制御部は、前記対象物を前記所定領域に搬送させる場合、前記対象物が前記所定領域に搬送される旨を示す情報を表示部に表示させてもよい。
【発明の効果】
【００２３】
以上説明したように本発明によれば、操作性および紙幣処理の効率を向上させることが可能となる。
【図面の簡単な説明】
【００２４】
【図１】本発明の実施形態に係る紙幣処理装置の外観を示す斜視図である。
【図２】本発明の実施形態に係る紙幣処理装置の内部構造を示す概略側面図である。
【図３】ＲＪ券の集積先設定前におけるＲＪ券の搬送ルートを示す図である。
【図４】出金口および集積庫それぞれに集積させる券に関する設定を行うための設定画面の例を示す図である。
【図５】券種を選択するための選択画面の例を示す図である。
【図６】ＲＪ券の集積先として第１の出金口を設定した後に表示される完了画面の例を示す図である。
【図７】ＲＪ券の集積先を第１の出金口に設定した後におけるＲＪ券の搬送ルートを示す図である。
【図８】ＲＪ券の集積先として第２の出金口を設定した後に表示される完了画面の例を示す図である。
【図９】ＲＪ券の集積先を第２の出金口に設定した後におけるＲＪ券の搬送ルートを示す図である。
【図１０】ＲＪ券の集積先として２つの出金口を設定した後に表示される完了画面の例を示す図である。
【図１１】ＲＪ券の集積先を２つの出金口に設定した後におけるＲＪ券の搬送ルートを示す図である。
【図１２】リジェクト口が満杯である旨が付された完了画面の例を示す図である。
【図１３】ＲＪ券を第１の出金口に搬送させる旨が付された完了画面の例を示す図である。
【図１４】ＲＪ券の集積先を自動的に設定した後におけるＲＪ券の搬送ルートを示す図である。
【図１５】ＲＪ券を第２の出金口に搬送させる旨が付された完了画面の例を示す図である。
【図１６】ＲＪ券の集積先を自動的に設定した後におけるＲＪ券の搬送ルートを示す図である。
【図１７】ＲＪ券を第１の出金口に搬送させる旨が付された完了画面の例を示す図である。
【図１８】ＲＪ券の集積先を自動的に設定した後におけるＲＪ券の搬送ルートを示す図である。
【図１９】ＲＪ券を第１の一時集積部に搬送させる旨が付された完了画面の例を示す図である。
【図２０】第１の一時集積部が満杯である旨が付された完了画面の例を示す図である。
【図２１】ＲＪ券を第２の一時集積部に搬送させる旨が付された完了画面の例を示す図である。
【発明を実施するための形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２７】
［１．各実施形態の概要］
［１−１．紙幣処理装置の構成］
まず、本発明の各実施形態の概要について説明する。図１は、本発明の実施形態に係る紙幣処理装置の外観を示す斜視図である。図１に示すように、紙幣処理装置１は、紙幣を計数し、紙幣を所定枚数毎に結束して整理するようになされている。例えば、紙幣処理装置１は、金融機関の現金センタ等に設置され、金融機関の職員等（以下、「操作者」とも言う。）の操作に従い、紙幣の整理を実行するようになされている。
【００２８】
紙幣処理装置１は、直方体状に構成された筐体２の内部に種々の機構が組み込まれている。筐体２の上部後方には、各種画面を表示するＬＣＤ（Ｌｉｑｕｉｄ  Ｃｒｙｓｔａｌ  Ｄｉｓｐｌａｙ）と、操作者の入力操作を受け付けるタッチパネルとが一体化された操作表示部４が取り付けられている。操作表示部４は、所定の操作画面を表示しながら、動作モードの指定や、計数すべき紙幣の金種、集積順序等の設定作業を操作者に行わせる。また、操作表示部４は、鑑別された紙幣の金種や正損、計数結果等の表示も行う。
【００２９】
なお、以下では、操作者が対峙する正面へ向かう方向を前方向と定義し、その反対を後方向と定義して説明する。さらに、以下では、紙幣処理装置１の前側に対峙した操作者から見た左右方向を左右方向と定義し、紙幣処理装置１の前側に対峙した操作者から見た上下方向を上下方向と定義して説明する。
【００３０】
筐体２の前側上部には、紙幣を筐体２の内部に取り込む紙幣取込部５が設けられている。紙幣取込部５は、フロアガイド２０、左側壁２２および右側壁２４によって囲まれており、これらによって紙幣を取り込む空間が形成されている。本実施形態においては、紙幣の長手方向を紙幣処理装置１の左右方向に沿わせるようにフロアガイド２０に紙幣が載置される。紙幣処理装置１は、例えば、中国用の紙幣（例えば、１００元紙幣および１０元紙幣）を取り込み、所定枚数毎に結束して整理するようになされている。
【００３１】
左側壁２２の内壁面（右側面）である左壁面２３と右側壁２４の内壁面（左側面）である右壁面２５との間の距離は、紙幣処理装置１において取り扱われる紙幣のうち、最も長い長手方向の長さよりもやや長く設定されている。また、紙幣取込部５は、操作者により紙幣がフロアガイド２０に載置されて操作ボタン６が操作されると、この紙幣を１枚ずつに分離して筐体２の内部へ取り込む。
【００３２】
図２は、本発明の実施形態に係る紙幣処理装置の内部構造を示す概略側面図である。鑑別部３２は、紙幣取込部５によって取り込まれた対象物を鑑別する。より具体的には、鑑別部３２は、紙幣取込部５によって取り込まれた対象物が正常紙幣であるか否か（紙幣取込部５によって取り込まれた対象物の紙幣としての真偽）を検出する。また、鑑別部３２は、紙幣取込部５によって取り込まれた対象物の紙幣としての金種、正損、表裏等を鑑別する。また、鑑別部３２は、金種ごとの紙幣の計数を行うとともに搬送異常の検出を行う。
【００３３】
搬送路３３ａ〜３３ｆは、対象物を搬送する。また、表裏反転部３４は、紙幣の表裏反転を行う。例えば、表裏反転部３４は、鑑別部３２の後段に設けられる。リジェクト部（以下、「リジェクト口」または「ＲＪ口」とも言う。）９は、鑑別結果によって対象物が正常紙幣ではないことが示される場合に、正常ではないと鑑別された対象物（以下、「リジェクト券」または「ＲＪ券」とも言う。）を集積物として集積する。より具体的には、ＲＪ口９は、鑑別部３２によって金種不明と鑑別されたり、搬送異常が検知されたりした対象物を集積物として集積する。リジェクト部９は、筐体２（図１）における紙幣取込部５の上方に一部又は全部を露出させるように配置されており、搬送路３３ｅにより搬送されてきた紙幣を集積し、作業者に取り出させるようになされている。
【００３４】
外部集積部（以下、「出金口」とも言う。）１１ａ、１１ｂは、筐体２（図１）の上部における操作表示部４の前方に一部を露出させるように前後方向に並んで配置されており、リジェクト部９と同様、搬送路３３ｇ、搬送路３３ｆにより搬送されてきた紙幣を集積する。より具体的には、出金口１１ａ、１１ｂは、施封（結束）対象外の金種の紙幣を集積する。出金口１１ａ、１１ｂは、それぞれに集積された紙幣が操作者によって直接的に手で抜き取られ得るように開放されている。
【００３５】
ブレード３７は、搬送路３３ｂと搬送路３３ｅとの分岐部分、搬送路３３ｂと搬送路３３ｆとの分岐部分、搬送路３３ｅと搬送路３３ｇとの分岐部分、および、搬送路３３ｃと表裏反転部３４との分岐部分それぞれに設けられる。これらのブレード３７によって、紙幣の搬送方向が切り替えられる。
【００３６】
一時集積部３８ａ〜３８ｅは、施封される紙幣を金種別に集積することが可能である。ここでは、一時集積部３８は、上下方向に並べて５つ設けられている。しかし、一時集積部３８の数は、特に限定されない。また、例えば、一時集積部３８ａ〜３８ｅは、それぞれ１００枚の紙幣を集積可能である。しかし、一時集積部３８ａ〜３８ｅに集積可能な紙幣の枚数は、特に限定されない。
【００３７】
移送部３９は、一時集積部３８ａ〜３８ｅそれぞれに集積された複数の紙幣を一括してクランプし、下方に配置された紙幣結束部４０に移送して引き渡す機能を有している。また、紙幣結束部４０は、移送部３９から受け取った紙幣を紙テープ等の施封材により小束に施封して排出口から排出する機能を有している。
【００３８】
記憶部４２は、紙幣処理装置１の動作に必要な各種情報（例えば、データ、プログラムなど）を記憶する。制御部４１は、記憶部４２によって記憶されているプログラムを実行することによって、紙幣処理装置１の全体的な動作の制御を行う機能を有している。以下においては、制御部４１によって制御される紙幣処理装置１の全体的な動作の一例を簡単に説明する。
【００３９】
［１−２．紙幣処理装置の動作］
まず、紙幣処理装置１は、操作者によって金種混合の複数枚の紙幣が紙幣取込部５にセットされると、搬送路３３ａにより複数枚の紙幣を１枚ずつ鑑別部３２に搬送し、鑑別部３２により金種や正損等の鑑別を行う。そして、あらかじめオペレータによって施封対象として指定された金種の紙幣は、搬送路３３ｂにより搬送路３３ｃに搬送された後、または、表裏反転部３４に搬送されて表裏が揃えられた後、搬送路３３ｄにより矢印方向に搬送されて、その紙幣の金種に対応する一時集積部３８に集積される。
【００４０】
続いて、紙幣処理装置１は、その紙幣の金種に対応する一時集積部３８に集積されている紙幣枚数があらかじめ設定された所定枚数に達すると、一時集積部３８に集積された上限枚数の紙幣を紙幣結束部４０に移送し、紙幣結束部４０により、紙テープ等の施封材を用いて上限枚数の紙幣を小束に施封する。
【００４１】
一方、鑑別部３２により、正常紙幣ではないと鑑別されたＲＪ券は、搬送路３３ｂ、３３ｅによりＲＪ口９に搬送される。また、鑑別部３２により、結束対象外と鑑別された金種の紙幣は、搬送路３３ｂおよび搬送路３３ｆにより出金口１１ａに搬送され得る。あるいは、鑑別部３２により、結束対象外と鑑別された金種の紙幣は、搬送路３３ｂ、３３ｇにより出金口１１ｂに搬送され得る。ＲＪ口９に集積されたＲＪ券は、操作者により回収され得る。また、出金口１１ａ、および、出金口１１ｂそれぞれに集積された紙幣も、操作者により回収され得る。
【００４２】
以上、制御部４１によって制御される紙幣処理装置１の全体的な動作の一例を簡単に説明した。本発明の実施形態においては、制御部４１が、筐体２の内部に取り込まれた物（以下、「対象物」とも言う。）がＲＪ券であると鑑別された場合、かつ、所定の条件が満たされる場合、対象物をＲＪ口９とは異なる所定領域に搬送させる。かかる構成により、所定領域にもＲＪ券が搬送されるため、操作者の作業が頻発したり、紙幣処理装置の停止が頻発してしまったりする可能性が低減され、操作性および紙幣処理の効率が向上される。
【００４３】
所定領域はどの領域であってもよい。例えば、所定領域は、出金口１１ａであってもよい。すなわち、制御部４１は、対象物がＲＪ券であると鑑別された場合、かつ、所定の条件が満たされる場合、対象物を出金口１１ａに搬送させてもよい。ここで、ＲＪ券が、筐体２の外部に露出している出金口１１ａに搬送されれば、操作者が出金口１１ａからＲＪ券を取り出しやすくなる。そのため、操作者による操作性が向上するといった利点も享受され得る。
【００４４】
あるいは、所定領域は、出金口１１ｂであってもよい。すなわち、制御部４１は、対象物がＲＪ券であると鑑別された場合、かつ、所定の条件が満たされる場合、対象物を出金口１１ｂに搬送させてもよい。ここで、ＲＪ券が、筐体２の外部に露出している出金口１１ｂに搬送されれば、操作者が出金口１１ｂからＲＪ券を取り出しやすくなる。そのため、操作者による操作性が向上するといった利点も享受され得る。
【００４５】
あるいは、所定領域は、一時集積部３８であってもよい。すなわち、制御部４１は、対象物がＲＪ券であると鑑別された場合、かつ、所定の条件が満たされる場合、対象物を一時集積部３８に搬送させてもよい。
【００４６】
また、所定領域が正常紙幣の集積に使用されてしまっている場合、ＲＪ券を所定領域に搬送させてしまうと、所定領域においてＲＪ券と正常紙幣とが混ざり合ってしまい、ＲＪ券と正常紙幣とを分離する作業が必要となってしまう。そこで、かかる状況を回避すべく、制御部４１は、対象物がＲＪ券であると鑑別された場合、かつ、所定領域が正常紙幣の集積に使用されていない場合、対象物を所定領域に搬送させるようにしてもよい。一方、制御部４１は、対象物がＲＪ券ではないと鑑別された場合、かつ、所定領域が正常紙幣の集積に使用されている場合、対象物を所定領域に搬送させないようにするのがよい。
【００４７】
また、上記した所定の条件も特に限定されない。例えば、所定の条件は、ＲＪ口９に集積されている集積物枚数が所定枚数に達しているという条件であってもよい。すなわち、対象物がＲＪ券であると鑑別された場合、かつ、ＲＪ口９に集積されている集積物枚数が所定枚数に達している場合、対象物を所定領域に搬送させるようにしてもよい。以下の説明では、所定枚数は、集積可能枚数の最大値である場合を例として説明するが、所定枚数は、集積可能枚数の最大値よりも小さい所定値であってもよい。
【００４８】
一方、制御部４１は、対象物がＲＪ券であると鑑別された場合、かつ、ＲＪ口９に集積されている集積物枚数が所定枚数に達していない場合、対象物をＲＪ口９に搬送させるようにすればよい。なお、以下の説明においては、所定領域に集積されている紙幣枚数（または集積物枚数）が所定枚数に達している状況を紙幣枚数（または集積物枚数）が「満杯」であると表現することがある。
【００４９】
また、制御部４１は、対象物を所定領域に搬送させる場合には、対象物が所定領域に搬送される旨を示す所定の情報を操作表示部４に表示させるのがよい。そうすれば、操作表示部４によって表示された所定の情報を閲覧することによって、操作者は対象物が所定領域に搬送される旨を容易に把握することが可能となる。
【００５０】
［２．第１の実施形態の説明］
続いて、本発明の第１の実施形態について説明する。本発明の第１の実施形態においては、ＲＪ券の集積先を設定可能にする。図３は、ＲＪ券の集積先設定前におけるＲＪ券の搬送ルートを示す図である。図３の太線に示すように、ＲＪ券の集積先設定前においては、ＲＪ口９がＲＪ券の集積先となっている。以下、操作表示部４における表示画面を用いてＲＪ券の集積先を設定する例を説明する。
【００５１】
図４は、出金口および集積庫それぞれに集積させる券に関する設定を行うための設定画面の例を示す図である。図４に示すように、制御部４１は、設定画面Ｇ１を操作表示部４に表示させる。設定画面Ｇ１は、出金口１１ａに集積させる券に関する設定を行うための「出金口１」ボタンＧ１１、出金口１１ｂに集積させる券に関する設定を行うための「出金口２」ボタンＧ１２、一時集積部３８ａ〜３８ｅそれぞれに集積させる券に関する設定を行うための「集積庫」ボタンＧ２０を含んでいる。
【００５２】
また、設定画面Ｇ１は、「金種設定」変更ボタンＧ３１、「券種設定」変更ボタンＧ３２、「方向設定」変更ボタンＧ３３、「版数設定」変更ボタンＧ３４を含んでいる。金種は、紙幣の金額を示し、１００元紙幣、１０元紙幣などに相当する。券種は、紙幣の状態を示し、図５を用いて後に説明するような各種の状態に相当する。方向は、紙幣の表裏を示す。版数は、紙幣の製造年を示し、２０００年発行などに相当する。
【００５３】
また、設定画面Ｇ１は、「取消」ボタンＧ４１、「全クリア」ボタンＧ４２、「確認」ボタンＧ４３を含んでいる。例えば、操作者が「出金口１」ボタンＧ１１を選択する操作を行い、「券種設定」変更ボタンＧ３２を選択する操作を行うと、制御部４１は、出金口１１ａに集積させる券種を選択するための選択画面を操作表示部４に表示させる。図５は、券種を選択するための選択画面の例を示す図である。
【００５４】
図５に示すように、選択画面Ｇ２は、「任意券」選択ボタンＧ５１、「ＡＴＭ券」選択ボタンＧ５２、「流通券」選択ボタンＧ５３、「損券」選択ボタンＧ５４、「ＡＴＭ券＋流通券」選択ボタンＧ５５、「流通券＋損券」選択ボタンＧ５６、「真偽不明券」選択ボタンＧ５７、「指定記番号」選択ボタンＧ５８、「ＲＪ券」選択ボタンＧ５９、取消ボタンＧ６０を含んでいる。
【００５５】
ここで、「ＡＴＭ券」は、ＡＴＭ（ａｕｔｏｍａｔｅｄ  ｔｅｌｌｅｒ  ｍａｃｈｉｎｅ）での取り扱いを許容する券に相当する。また、「流通券」は、銀行窓口、ＡＴＭなどに流通させることを許容する券に相当する。「指定記番号」は、指定された記番号が付された券に相当する。「取消」は、券種の選択を取り消すことを意味する。
【００５６】
選択画面Ｇ２において、操作者が「ＲＪ券」選択ボタンＧ５９を選択する操作を行うと、制御部４１は、選択画面Ｇ２から設定画面Ｇ１に表示画面を遷移させる。このとき、設定画面Ｇ１の「券種設定」に対応する欄は、「ＲＪ券」に変化してよい。設定画面Ｇ１において、操作者が「確認」ボタンＧ４３を選択すると、制御部４１は、出金口１１ａに集積させる券種としてＲＪ券を設定し、設定が完了した旨を示す完了画面を操作表示部４に表示させる。
【００５７】
図６は、ＲＪ券の集積先として出金口１１ａを設定した後に表示される完了画面の例を示す図である。図６に示すように、完了画面Ｇ３−１は、出金口１１ａ、出金口１１ｂ、一時集積部３８ａ〜３８ｅそれぞれに集積させる券種を有している。出金口１（出金口１１ａ）の券種は「ＲＪ券」に設定されている。また、完了画面Ｇ３−１は、出金口１１ａ、出金口１１ｂそれぞれに集積されている紙幣の現在枚数および設定枚数（上記の「所定枚数」に相当）を有している。また、完了画面Ｇ３−１は、一時集積部３８ａ〜３８ｅそれぞれに集積されている紙幣の集積枚数を有している。また、完了画面Ｇ３−１は、一時集積部３８ａ〜３８ｅから紙幣結束部４０に搬送された紙幣の束の数である束数を有している。
【００５８】
このように設定された状態において取引が開始されると、制御部４１は、対象物がＲＪ券であると鑑別された場合、ＲＪ券の集積先として設定された出金口１１ａにも対象物を搬送させることが可能となる。図７は、ＲＪ券の集積先を出金口１１ａに設定した後におけるＲＪ券の搬送ルートを示す図である。図７の太線に示すように、ＲＪ券の集積先設定後においては、ＲＪ口９の他に出金口１１ａがＲＪ券の集積先となっている。
【００５９】
なお、同様な手法により、出金口１１ｂをＲＪ券の集積先として設定することも可能である。図８は、ＲＪ券の集積先として出金口１１ｂを設定した後に表示される完了画面の例を示す図である。出金口２（出金口１１ｂ）の券種は「ＲＪ券」に設定されている。図９は、ＲＪ券の集積先を出金口１１ｂに設定した後におけるＲＪ券の搬送ルートを示す図である。図９の太線に示すように、ＲＪ券の集積先設定後においては、ＲＪ口９の他に出金口１１ｂがＲＪ券の集積先となっている。
【００６０】
また、同様な手法により、出金口１１ａおよび出金口１１ｂをＲＪ券の集積先として設定することも可能である。図１０は、ＲＪ券の集積先として出金口１１ａおよび出金口１１ｂを設定した後に表示される完了画面の例を示す図である。出金口１（出金口１１ａ）および出金口２（出金口１１ｂ）それぞれの券種は「ＲＪ券」に設定されている。図１１は、ＲＪ券の集積先を出金口１１ａおよび出金口１１ｂに設定した後におけるＲＪ券の搬送ルートを示す図である。図１１の太線に示すように、ＲＪ券の集積先設定後においては、ＲＪ口９の他に出金口１１ａおよび出金口１１ｂがＲＪ券の集積先となっている。
【００６１】
以上に説明したように、本発明の第１の実施形態によれば、操作者による操作に従ってＲＪ券の集積先を設定することが可能となる。かかる構成により、ＲＪ券の集積先として設定された出金口１１ａまたは出金口１１ｂにもＲＪ券が搬送されるため、操作者の作業が頻発したり、紙幣処理装置１の停止が頻発してしまったりする可能性が低減され、操作性および紙幣処理の効率が向上される。
【００６２】
［３．第２の実施形態の説明］
続いて、本発明の第２の実施形態について説明する。本発明の第２の実施形態においては、本発明の第１の実施形態と異なる点を主に説明する。本発明の第２の実施形態においては、制御部４１は、対象物がＲＪ券であることが鑑別された場合であっても、ＲＪ口９に集積されている集積物枚数が所定枚数に達している場合には、さらにＲＪ券をＲＪ口９に集積させるのが困難である。このとき、図１２に示すように、制御部４１は、完了画面Ｇ３−４にＲＪ口９が満杯である旨を付してもよい。
【００６３】
そこで、かかる場合には、制御部４１は、出金口１１ａが紙幣の集積に使用されていない場合（出金口１１ａの券種が指定されていない場合）、出金口１１ａをＲＪ券の集積先として自動的に設定し、ＲＪ券と鑑別された対象物を出金口１１ａに搬送させる。このとき、図１３に示すように、制御部４１は、完了画面Ｇ３−５にＲＪ券を出金口１１ａに搬送させる旨を付してもよい。出金口１（出金口１１ａ）の券種は「ＲＪ券」に設定されている。また、図１４は、ＲＪ券の集積先を自動的に設定した後におけるＲＪ券の搬送ルートを示す図である。図１４の太線に示すように、制御部４１によってＲＪ券の集積先が自動的に出金口１１ａに設定された後においては、出金口１１ａがＲＪ券の集積先となっている。
【００６４】
同様に、制御部４１は、対象物がＲＪ券であることが鑑別された場合、かつ、ＲＪ口９に集積されている集積物枚数が所定枚数に達している場合、出金口１１ｂが紙幣の集積に使用されていない場合（出金口１１ｂの券種が指定されていない場合）、出金口１１ｂをＲＪ券の集積先として自動的に設定し、ＲＪ券と鑑別された対象物を出金口１１ｂに搬送させることも可能である。
【００６５】
以上に説明したように、本発明の第２の実施形態によれば、制御部４１によって自動的にＲＪ券の集積先を設定することが可能となる。かかる構成により、ＲＪ券の集積先を設定するための手間が省略される。また、かかる構成により、本発明の第１の実施形態と同様に、ＲＪ券の集積先として設定された出金口１１ａまたは出金口１１ｂにもＲＪ券が搬送されるため、操作者の作業が頻発したり、紙幣処理装置１の停止が頻発してしまったりする可能性が低減され、操作性および紙幣処理の効率が向上される。
【００６６】
［４．第３の実施形態の説明］
続いて、本発明の第３の実施形態について説明する。本発明の第３の実施形態においては、本発明の第２の実施形態と異なる点を主に説明する。本発明の第３の実施形態においては、制御部４１は、対象物がＲＪ券であることが鑑別された場合であっても、ＲＪ口９に集積されている集積物枚数が所定枚数に達している場合に、さらにＲＪ券をＲＪ口９に集積させるのが困難である。
【００６７】
かかる場合には、制御部４１は、出金口１１ａよりも手前側に設けられた出金口１１ｂが紙幣の集積に使用されていない場合（出金口１１ｂの券種が指定されていない場合）、出金口１１ｂをＲＪ券の集積先として自動的に設定し、ＲＪ券と鑑別された対象物を出金口１１ｂに搬送させる。このとき、図１５に示すように、制御部４１は、完了画面Ｇ３−６にＲＪ券を出金口１１ｂに搬送させる旨を付してもよい。出金口２（出金口１１ｂ）の券種は「ＲＪ券」に設定されている。
【００６８】
また、図１６は、ＲＪ券の集積先を自動的に設定した後におけるＲＪ券の搬送ルートを示す図である。図１６の太線に示すように、制御部４１によってＲＪ券の集積先が自動的に出金口１１ｂに設定された後においては、出金口１１ｂがＲＪ券の集積先となっている。さらに、出金口１１ｂに集積されるＲＪ券が満杯になる場合もあり得る。かかる場合には、制御部４１は、対象物がＲＪ券であることが鑑別された場合であっても、出金口１１ｂに集積されている集積物枚数が所定枚数に達している場合に、さらにＲＪ券を出金口１１ｂに集積させるのが困難である。
【００６９】
かかる場合には、制御部４１は、出金口１１ｂよりも奥側に設けられた出金口１１ａが紙幣の集積に使用されていない場合（出金口１１ａの券種が指定されていない場合）、出金口１１ａをＲＪ券の集積先として自動的に設定し、ＲＪ券と鑑別された対象物を出金口１１ａに搬送させる。このとき、図１７に示すように、制御部４１は、完了画面Ｇ３−７にＲＪ券を出金口１１ａに搬送させる旨を付してもよい。出金口１（出金口１１ａ）の券種は「ＲＪ券」に設定されている。
【００７０】
また、図１８は、ＲＪ券の集積先を自動的に設定した後におけるＲＪ券の搬送ルートを示す図である。図１８の太線に示すように、制御部４１によってＲＪ券の集積先が自動的に出金口１１ａに設定された後においては、出金口１１ａがＲＪ券の集積先となっている。
【００７１】
以上に説明したように、本発明の第３の実施形態によれば、制御部４１によって自動的にＲＪ券の集積先を設定するとともに、取り除きやすい位置（装置の手前側）から順にＲＪ券を集積することが可能となる。かかる構成により、ＲＪ券の集積先を設定するための手間が省略され、ＲＪ券を取り除く作業の効率が向上する。また、かかる構成により、ＲＪ券の集積先として設定された出金口１１ａおよび出金口１１ｂにもＲＪ券が搬送されるため、操作者の作業が頻発したり、紙幣処理装置１の停止が頻発してしまったりする可能性が低減され、操作性および紙幣処理の効率が向上される。
【００７２】
［５．第４の実施形態の説明］
続いて、本発明の第４の実施形態について説明する。本発明の第４の実施形態においては、本発明の第１の実施形態と異なる点を主に説明する。ＲＪ券は偽券、正常紙幣でも折れや破れ等の形状が定かでないもの等多種多様である。ＲＪ券が搬送される搬送路３３ｅはこのような多種多様なＲＪ券が搬送されることを想定した作りとなっており、搬送路３３ｇや搬送路３３ｆとは材質などの作りが異なっている。したがって、ＲＪ券の種類によっては搬送路３３ｇや搬送路３３ｆに搬送してしまうと搬送エラーを起こしてしまうことがある。そこで、本発明の第４の実施形態においては、制御部４１は、対象物の鑑別結果に応じて、対象物をＲＪ口９および所定領域のいずれかに搬送させる。所定領域は特に限定されないが、一時集積部３８ａ〜３８ｅであってもよいし、出金口１１ａまたは出金口１１ｂであってもよい。以下では、所定領域が、出金口１１ａまたは出金口１１ｂである場合を説明する。
【００７３】
例えば、本発明の第１の実施形態による手法と同様に、出金口１１ａおよび出金口１１ｂもＲＪ券の集積先として設定されたとする。このように設定された状態において取引が開始されると、制御部４１は、対象物の鑑別結果に応じて、対象物をＲＪ口９、出金口１１ａまたは出金口１１ｂのいずれかに搬送させることが可能である。
【００７４】
例えば、制御部４１は、外形形状が異常なＲＪ券をＲＪ口９に搬送させてよい。外形形状が異常なＲＪ券は、エラー発生により装置が停止してしまう可能性が高いからである。また、搬送路３３ｅは外形形状が異常なＲＪ券が搬送されてきたとしても搬送に耐えられる作りとなっているが、搬送路３３ｇや搬送路３３ｆは元々外形形状が異常なＲＪ券を搬送する作りとなっていないため、エラー発生により装置が停止してしまう可能性が高いからである。また、制御部４１は、スキューなどといった走行異常が生じたＲＪ券を出金口１１ｂに搬送させてよい。また、制御部４１は、真偽不明券などを、出金口１１ａに搬送させてよい。しかし、ＲＪ券の種別と集積先との対応関係は、以上に示した例に限定されない。
【００７５】
以上に説明したように、本発明の第４の実施形態によれば、ＲＪ券の種別に応じてＲＪ券が自動的に仕分けられる。かかる構成により、ＲＪ券の種類に応じた仕分け作業の手間が省略される。また、かかる構成により、本発明の第１の実施形態と同様に、ＲＪ券の集積先として設定された出金口１１ａまたは出金口１１ｂにもＲＪ券が搬送されるため、操作者の作業が頻発したり、紙幣処理装置１の停止が頻発してしまったりする可能性が低減され、操作性および紙幣処理の効率が向上される。
【００７６】
［６．第５の実施形態の説明］
続いて、本発明の第５の実施形態について説明する。本発明の第５の実施形態においては、本発明の第１の実施形態と異なる点を主に説明する。本発明の第５の実施形態においては、制御部４１は、対象物がＲＪ券であることが鑑別された場合であっても、ＲＪ口９に集積されている集積物枚数が所定枚数に達している場合には、さらにＲＪ券をＲＪ口９に集積させるのが困難である。
【００７７】
そこで、かかる場合には、制御部４１は、一時集積部３８ａをＲＪ券の集積先として自動的に設定し、ＲＪ券と鑑別された対象物を一時集積部３８ａに搬送させる。このとき、図１９に示すように、制御部４１は、完了画面Ｇ３−８にＲＪ券を一時集積部３８ａに搬送させる旨を付してもよい。集積庫１（一時集積部３８ａ）の券種は「ＲＪ券」に設定されている。
【００７８】
さらに、一時集積部３８ａに集積されるＲＪ券が満杯になる場合もあり得る。かかる場合には、制御部４１は、対象物がＲＪ券であることが鑑別された場合であっても、一時集積部３８ａに集積されている集積物枚数が所定枚数に達している場合に、さらにＲＪ券を一時集積部３８ａに集積させるのが困難である。このとき、図２０に示すように、制御部４１は、完了画面Ｇ３−９に集積庫１（一時集積部３８ａ）が満杯である旨を付してもよい。
【００７９】
かかる場合には、制御部４１は、集積庫２（一時集積部３８ｂ）をＲＪ券の集積先として自動的に設定し、ＲＪ券と鑑別された対象物を一時集積部３８ｂに搬送させる。このとき、図２１に示すように、制御部４１は、完了画面Ｇ３−１０にＲＪ券を集積庫２（一時集積部３８ｂ）に搬送させる旨を付してもよい。出金口２（出金口１１ｂ）の券種は「ＲＪ券」に設定されている。
【００８０】
また、ＲＪ口９に集積されている集積物枚数が所定枚数に達している場合であっても、ＲＪ券と鑑別された対象物を一時集積部３８ａに搬送させないことがあってもよい。例えば、制御部４１は、対象物がＲＪ券であると鑑別された場合、かつ、ＲＪ口９に集積されている集積物枚数が所定枚数に達している場合、かつ、所定の事前設定（例えば、一時集積部３８ａに対象物を搬送させるためのボタン選択操作の操作表示部４による検出）がなされている場合に、一時集積部３８ａに対象物を搬送させてもよい。
【００８１】
あるいは、制御部４１は、対象物がＲＪ券であると鑑別された場合、かつ、ＲＪ口９に集積されている集積物枚数が所定枚数に達している場合、かつ、一時集積部３８ａが正常紙幣の集積に使用されていない場合（一時集積部３８ａの券種が指定されていない場合）に、一時集積部３８ａに対象物を搬送させてもよい。
【００８２】
以上においては、一時集積部３８ａがＲＪ券の集積先として設定される場合を説明したが、一時集積部３８ｂ〜３８ｅのいずれかがＲＪ券の集積先として設定されてもよい。しかし、通常は、一時集積部３８ｄ、３８ｅしか正常紙幣の集積先として使用されていないことがよくあるため、一時集積部３８ａ〜３８ｃがＲＪ券の集積先として設定されるとよい。つまり、制御部４１は、対象物がＲＪ券であると鑑別された場合、かつ、ＲＪ口９に集積されている集積物枚数が所定枚数に達している場合、かつ、複数ある一時集積部（一時集積部３８ａ〜３８ｃ）のいずれか１つ以上の一時集積部が正常紙幣の集積に使用されていない場合に、一時集積部３８ａ〜３８ｃに対象物を搬送させてもよい。このとき、例えば一時集積部３８ａと一時集積部３８ｂが正常紙幣の集積に使用されていない場合、制御部４１は、一時集積部３８ｂより先に一時集積部３８ａに対象物を搬送させる。一時集積部３８ａは、一時集積部３８ｂより対象物が搬送される距離が短いので、対象物の搬送エラーが生じる可能性を抑えることが出来るからである。
【００８３】
また、ＲＪ券の集積は順に行われてもよい。例えば、制御部４１は、鑑別結果によって対象物が正常紙幣ではないことが示される場合、かつ、ＲＪ口９に集積されている集積物枚数が所定枚数に達している場合、対象物を一時集積部３８ａに搬送させる。しかし、制御部４１は、さらに、一時集積部３８ａに集積されている紙幣枚数が所定枚数に達している場合には、対象物を一時集積部３８ｂに搬送させるとよい。
【００８４】
また、通常時においては、一時集積部３８ａ〜３８ｅにＲＪ券は搬送されない。そこで、制御部４１は、対象物を一時集積部３８ａ〜３８ｅのいずれかに搬送させる場合、対象物が一時集積部３８ａ〜３８ｅのいずれかに搬送される旨を操作表示部４に表示させるのがよい。
【００８５】
さらに、一時集積部３８ａ〜３８ｅは、筐体２の内部に存在するため、一時集積部３８ａ〜３８ｅに集積されたＲＪ券は容易に筐体２の外部に取り出し得ない。そのため、制御部４１は、操作者による所定の操作（例えば、対象物を出金口１１ａまたは出金口１１ｂに移動させる旨を示すボタンの選択操作）が操作表示部４によって検出された場合、一時集積部３８ａ〜３８ｅに集積された対象物を出金口１１ａまたは出金口１１ｂに搬送させるとよい。一時集積部３８ａ〜３８ｅに集積されたＲＪ券を出金口１１ａまたは出金口１１ｂに搬送させる技術は、特開２００７−０６６２４９号公報などによって開示されている。
【００８６】
また、ＲＪ口９が満杯になったら、出金口１１ａおよび出金口１１ｂにＲＪ券が集積され、出金口１１ａおよび出金口１１ｂが満杯になったら、一時集積部３８ａにＲＪ券が集積されてもよい。すなわち、制御部４１は、対象物がＲＪ券であると鑑別された場合、かつ、出金口１１ａまたは出金口１１ｂに集積されている紙幣枚数が所定枚数に達していない場合には、対象物を出金口１１ａまたは出金口１１ｂに集積する。
【００８７】
一方、制御部４１は、対象物がＲＪ券であると鑑別された場合、かつ、出金口１１ａまたは出金口１１ｂに集積されている紙幣枚数が所定枚数に達している場合、対象物を一時集積部３８ａに搬送させるとよい。このような順序でＲＪ券を集積すれば、ＲＪ券の集積先が多くなるため、操作性および紙幣処理の効率がさらに向上される。そして、よりＲＪ券を取り除きやすい出金口１１ａまたは出金口１１ｂから先にＲＪ券が集積されることによって、ＲＪ券の回収も容易になる。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８９】
例えば、紙幣処理装置の動作全体を制御するための図示しない制御部が紙幣処理装置の内部に存在してよい。この図示しない制御部は、専用のハードウェアによって構成されてもよいし、紙幣処理装置に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【符号の説明】
【００９０】
１      紙幣処理装置
２      筐体
４      操作表示部
５      紙幣取込部
６      操作ボタン
９      ＲＪ口
１１ａ  出金口１
１１ｂ  出金口２
２０    フロアガイド
２２    左側壁
２３    左壁面
２４    右側壁
２５    右壁面
３２    鑑別部
３３（３３ａ〜３３ｇ）  搬送路
３４    表裏反転部
３７    ブレード
３８（３８ａ〜３８ｅ）  一時集積部（集積庫１〜５）
３９    移送部
４０    紙幣結束部
４１    制御部
４２    記憶部
Ｇ１    設定画面
Ｇ２    選択画面
Ｇ３    完了画面
【図１】
0006500609.tif 000002
【図２】
0006500609.tif 000003
【図３】
0006500609.tif 000004
【図４】
0006500609.tif 000005
【図５】
0006500609.tif 000006
【図６】
0006500609.tif 000007
【図７】
0006500609.tif 000008
【図８】
0006500609.tif 000009
【図９】
0006500609.tif 000010
【図１０】
0006500609.tif 000011
【図１１】
0006500609.tif 000012
【図１２】
0006500609.tif 000013
【図１３】
0006500609.tif 000014
【図１４】
0006500609.tif 000015
【図１５】
0006500609.tif 000016
【図１６】
0006500609.tif 000017
【図１７】
0006500609.tif 000018
【図１８】
0006500609.tif 000019
【図１９】
0006500609.tif 000020
【図２０】
0006500609.tif 000021
【図２１】
0006500609.tif 000022